(57)【要約】【課題】電力会社より供給されている電力をほとんど使用する事なく電気器具の電力使用量を表示する事、および取り付け位置を使用者が自在に変更できる電力使用量測定装置の提供を実現する。【解決手段】内部に筒状の空洞とその空洞に対して垂直に配した複数の棒状コイル４を有した電源コードクランプ部１を持ち、内部に電子回路を有し側面に表示装置3を有した本体ケース2から成る電力使用量測定装置により、電気器具の有する電源コードを電源コードクランプ部1に挟み、電源コードの発する電磁ノイズを当装置の電源に変え、電源コードを取り囲むそれぞれのコイルに発生する電流の差を計測する事により課題を解決した。【選択図】        図１
2004205240.tif 000002
【特許請求の範囲】
【請求項１】
内部に筒状の空洞とその空洞に接するように配した複数のコイル４を有した電源コードクランプ部1と、内部に電子回路５を有し側面に表示装置３を有した本体ケース２から成り、測定対象となる電気器具の電源コードを電源コードクランプ部１にて挟む事により電源コードクランプ部１に内蔵されたコイル４は電流を誘導し、電子回路５を駆動すると共に、電源コード内を流れる電流値を測定し、電子回路５にて演算して表示装置３にて表示する機能を持ち、測定対象となる電気器具が稼動している時にはコイル４は電子回路５及び表示装置３の駆動用と電流測定用とを兼ね、電気器具が稼動していない時には電子回路５及び表示装置３の駆動のみを行い続ける事を特徴とする電力使用量測定装置。
【請求項２】
測定対象となる電気器具が稼動していない時には電子回路５及び表示装置３の駆動を行わない事を特徴とした請求項１の電力使用量測定装置。
【発明の詳細な説明】
【０００１】
【発明が属する技術分野】
この発明は、電力使用量測定装置に関するものである。
【０００２】
【従来の技術】
従来の電力使用量測定装置は、装置本体又は装置本体が有する電源コードを電源コンセントに差し込み、さらにその装置本体に電気器具の電源コードを差し込む事により電気器具が使用する電力量を内部部品であるセンサーにて測定し、同じく内部部品である演算装置にて計算し、その演算結果を装置本体に取り付けている表示器に表示する方式の物や、装置本体又は装置本体が有する電源コードを電源コンセントに差し込み、分電盤に別途配置したセンサーにより測定された情報を導線によって装置本体に引き込み、内部部品である演算装置にて計算し、その演算結果を装置本体に取り付けている表示器に表示する方式の物や、装置本体が有するクランプにて電気器具の電源コードの片方１本を挟み込み、クランプの内部に有するセンサーにて電力量を測定し装置本体の内部部品である演算装置にて計算し、その演算結果を装置本体に取り付けている表示器に表示する方式の物が有る。
【０００３】
【発明が解決しようとする課題】
従来の電力使用量測定装置は、いずれもその内部部品である演算回路に電源を必要とし、その供給源としていずれもが電力会社より供給されている電力を使用している。これら電力使用量測定装置の使用目的として電力使用量の把握とその節約が主である場合、これら装置の使用自体に電力会社より供給されている電力の消費が伴う事は好ましくない。また取り付け位置が固定されてしまうよりも使用者が自在に取り付け位置を変更できる形態の方が、測定したい時に測定したい電気器具の電力使用量を速やかに測定する事が可能である。また電気器具の電源コードを改造して測定する事は危険であり、前述の電源コード片方１本を挟み込む方式の電力使用量測定装置は家庭内の電気器具の電力量を測定する目的には向いていない。
【０００４】
【課題を解決するための手段】
（イ）内部に筒状の空洞とその空洞に接するように配した複数のコイル４を有した電源コードクランプ部1を持つ。
（ロ）内部に電子回路５を有し側面に表示装置３を有した本体ケース２を持つ。
（ハ）測定対象となる電気器具の電源コードを電源コードクランプ部１にて挟む事により電源コードクランプ部１に内蔵されたコイル４は電流を誘導し、電子回路５を駆動すると共に、電源コード内を流れる電流値を測定し、電子回路５にて演算して表示装置３にて表示する機能を持つ。
（ニ）測定対象となる電気器具が稼動している時にはコイル４は電子回路５及び表示装置３の駆動用と電流測定用とを兼ね、電気器具が稼動していない時には電子回路５及び表示装置３の駆動のみを行う事を特徴とする。
（ホ）または、測定対象となる電気器具が稼動している時にはコイル４は電子回路５及び表示装置３の駆動用と電流測定用とを兼ね、電気器具が稼動していない時には電子回路５及び表示装置３の駆動を行わない事を特徴とする。
以上のような構成及び特徴を持った電力使用量測定装置により課題を解決した。
【０００５】
【発明の実施の形態】
図１は、本発明の斜視図である。（１）は、内部に筒状の空洞を持つ電源コードクランプ部を示す。（２）は側面に表示装置（３）を有した本体ケースを示す。図２及び図３は、本発明の内部構造を示す断面図及び斜視図である。電源コードクランプ部（１）の内部には空洞に接するように配した複数のコイル（４）を有し、本体ケース（５）の内部には電子回路（５）を有する事を示す。
本発明は、以上のような構成で次のようにして使用する。図５に示す通り、先ず電力使用量を測定したい電気器具（１５）の電源コード（６）を、電源コンセント（１６）に接続し、電源コード（６）を電源コードクランプ部（１）にて挟む。電源コンセント（１６）に接続された電源コード（６）は、交流による電磁ノイズを発生し電源コードクランプ部（１）に内蔵されたコイル（４）は電磁誘導により電磁ノイズを電流に変える。この電流は、本体ケース（５）に内蔵された電子回路に伝えられ電子回路が稼動する。次に電気器具（１５）のスイッチを入れ稼動させると電源コード（６）の磁界は増大する為、同じくコイル（４）に流れる電流も増大する。これらの電流の変化を電子回路（５）にて測定し、その結果を表示装置（３）に表示する。
【０００６】
【実施例】
図４は本発明の実施例を示す回路図である。先ず電力使用量を計測したい電気器具（１５）の電源コード（６）を、電源コンセント（１６）に接続し、電源コード（６）を電源コードクランプ部（１）にて挟むと電源コンセント（１６）に接続された電源コード（６）は、交流による電磁ノイズを発生し電源コードクランプ部（１）に内蔵された棒状コイル（４）が電磁ノイズを交流電流に変える。この交流電流をダイオード（８）及びコンデンサ（７）にて整流し（１０）〜（１４）の各電子回路を稼動させる。次に電気器具（１５）のスイッチを入れ稼動させると電源コード（６）に交流電流が流れる為、電源コード（６）が内蔵する２本の導線の回りには、回転方向が互いに逆である磁界がそれぞれの導線を巻き込むように、しかも瞬時に回転方向を切り替えながら発生する。これらの磁界は互いに影響し合い、結果的には電源コード（６）に対して垂直方向の磁界が往復を繰り返す状態となる。この磁界の大きさは使用する電気器具（１５）の消費電力量によって変化する為、この磁界に対して平行に配したコイル（４）によって得られる誘導電流の量も同じく電気器具（１５）の消費電力量に比例して増減する。この誘導電流の量を捉えるべく一旦それぞれのコイル（４）の電流を積分器（１０）で一定時間蓄えた後に放出し、コンパレータ（１１）が電圧ゼロを確認するまでの時間をカウンター（１２）にて計測し、これらの情報を制御部（１２）へ送る。制御部（１２）ではこれら情報の内、変化量の最大のものを電気器具（１５）の電圧と比例する値として捉える。同じようにして一定の抵抗値を持つ抵抗器（９）を介した電圧を測定する事によって電気器具（１５）の電流と比例する値を捉え、これらの値及び電気器具（１５）の稼動時間および比例係数の積算によって当該電気器具（１５）の電力使用量を計算し、表示部（１４）に結果情報を送り、表示部（１４）はその結果を表示する。尚、本発明による電力使用量測定装置は、電気器具（１５）のスイッチを切った後でも電源コンセントに接続されている限り稼動し続ける事が出来るため、使用量の累計計算も算出表示する事ができる。或いは請求項２の様に電気器具（１５）のスイッチを切った後、電力使用量測定装置の駆動を停止した場合でも、フラッシュメモリー等の記憶装置により測定値を記憶する事によって使用量の累計計算が可能である。また、電気料金の計算の基となる単価情報を予め制御部に設定しておく事により、使用量の金額表示も可能である。
【０００７】
【発明の効果】
以上により本発明による電力使用量測定装置は、電力会社から供給されている電力をほとんど消費する事無く、電気器具の電力使用量を計測する事ができ、持ち運びが容易で、平行な２本の導線を配した電源コードを介して交流電流を使用する電気器具に対して着脱自在に使用する事ができる。
【図面の簡単な説明】
【図１】本発明の斜視図である。
【図２】本発明の内部構造を示す断面図である。
【図３】本発明の内部構造を示す斜視図である。
【図４】本発明の実施例を示すブロック図である。
【図５】本発明の実施例を示す斜視図である。
【符号の説明】
１    電源コードクランプ部
２    本体ケース
３    表示装置
４    コイル
５    電子回路
６    電源コード
７    コンデンサ
８    ダイオード
９    抵抗器
１０    積分器
１１    コンパレータ
１２    カウンタ
１３    制御部
１４    表示部
１５    電気器具
１６    電源コンセント
【図１】
2004205240.tif 000003
【図２】
2004205240.tif 000004
【図３】
2004205240.tif 000005
【図４】
2004205240.tif 000006
【図５】
2004205240.tif 000007